(57)【要約】      （修正有）【課題】獲物を撮像した画像の使いまわしや改ざんの防止を容易に行うこと。【解決手段】端末装置又はサーバは、ユーザ画像情報取得部と獲物画像取得部と管理部とを具備する。ユーザ画像情報取得部は、ユーザの画像情報を取得する。獲物画像取得部は、捕獲した動物を撮像した獲物画像を取得する。管理部は、ユーザの画像情報と獲物画像とを対応付けて管理する。また、画像情報の送信とともに獲物画像の閲覧又は操作の要求があった場合、サーバは、送信された画像情報に対応する獲物画像の閲覧又は操作の要求を許可する。【選択図】図８
2020052679.tif 000002
【特許請求の範囲】
【請求項１】
ユーザの画像情報を取得するユーザ画像情報取得部と；
捕獲した動物を撮像した獲物画像を取得する獲物画像取得部と；
前記ユーザの画像情報と前記獲物画像とを対応付けて管理する管理部と；
を具備することを特徴とする管理装置。
【請求項２】
前記画像情報取得部は、ユーザの顔の特徴を示す画像情報を取得することを特徴とする請求項１に記載の管理装置。
【請求項３】
前記管理装置は、
ユーザの顔画像を撮像する撮像部；
をさらに具備し、
前記ユーザ画像情報取得部は、前記撮像部によって撮像された顔画像を前記ユーザの画像情報として取得することを特徴とする請求項１に記載の管理装置。
【請求項４】
前記管理装置は、
ユーザの画像の特徴をコードに変換する変換部；
をさらに具備し、
前記ユーザ画像情報取得部は、前記変換部によって変換されたコードを前記ユーザの画像情報として取得することを特徴とする請求項１に記載の管理装置。
【請求項５】
前記管理装置は、
第１の画像情報の送信とともに、前記獲物画像の閲覧又は操作の要求があった場合であって、前記第１の画像情報と、前記管理部によって前記獲物画像に対応付けられているユーザの画像情報とが一致した場合、前記獲物画像の閲覧又は操作の要求を許可する許可部；
をさらに具備することを特徴とする請求項１又は３に記載の管理装置。
【請求項６】
端末装置とサーバとを具備する管理システムであって、
前記端末装置は、
ユーザの画像、及び、捕獲した動物の画像である獲物画像を撮像する撮像部と；
前記ユーザの画像及び前記獲物画像を記憶する記憶部と；
前記サーバとの間で通信が可能になったタイミングで、前記ユーザの画像及び前記獲物画像を前記サーバに送信した後、前記獲物画像を前記記憶部から削除する送信部と；
を具備し、
前記サーバは、
前記端末装置から前記ユーザの画像を取得するユーザ画像情報取得部と；
前記端末装置から前記獲物画像を取得する獲物画像取得部と；
前記ユーザの画像と前記獲物画像とを対応付けて管理する管理部と；
を具備することを特徴とする管理システム。
【発明の詳細な説明】
【技術分野】
【０００１】
本発明の実施形態は、管理装置及び管理システムに関する。
【背景技術】
【０００２】
イノシシやシカといった害獣を捕獲した際に、その証拠として自治体等に当該捕獲した動物（以降、獲物）の画像データを提出し、報奨金を得る制度がある。その際、画像データの使い回しや改ざんが問題になる場合がある。
【０００３】
そこで、デジタルカメラ等の撮像装置にユーザを識別する識別情報を登録しておき、当該撮像装置で撮像された画像データに当該識別情報を付与することで、画像データの使いまわしや改ざんを防止する方法が知られている。また、例えば、ユーザの識別は顔認証によって実現可能である。
【先行技術文献】
【特許文献】
【０００４】
【特許文献１】特開２０１６−０５１４８２号公報
【特許文献２】特開２００７−２８２１１９号公報
【発明の概要】
【発明が解決しようとする課題】
【０００５】
しかしながら、従来の方法には、獲物を撮像した画像の使いまわしや改ざんの防止を容易に実施することができない場合がある。例えば、従来の方法では、１つの撮像装置を複数人が共有する場合、使用者が変わるたびに撮像装置に登録された識別情報を書き換える必要が生じる。
【０００６】
本発明は、獲物を撮像した画像の使いまわしや改ざんの防止を容易に行うための管理装置及び管理システムを提供することを目的とする。
【課題を解決するための手段】
【０００７】
本実施形態の管理装置は、ユーザ画像情報取得部と獲物画像取得部と管理部とを具備する。ユーザ画像情報取得部は、ユーザの画像情報を取得する。獲物画像取得部は、捕獲した動物を撮像した獲物画像を取得する。管理部は、ユーザの画像情報と獲物画像とを対応付けて管理する。
【発明の効果】
【０００８】
本発明によれば、獲物を撮像した画像の使いまわしや改ざんの防止を容易に行うための管理装置及び管理システムを提供することができる。
【図面の簡単な説明】
【０００９】
【図１】図１は、実施形態に係る管理システムの構成例を示す図である。
【図２】図２は、実施形態に係る端末装置の構成例を示す図である。
【図３】図３は、実施形態に係る画像ファイルの一例を示す図である。
【図４】図４は、実施形態に係るサーバの構成例を示すブロック図である。
【図５】図５は、実施形態に係るコードの変換について説明するための図である。
【図６】図６は、実施形態に係る獲物画像の閲覧及び操作の許可について説明するための図である。
【図７】図７は、実施形態に係る管理システムの前処理の手順を示すフローチャートである。
【図８】図８は、実施形態に係る管理システムの格納処理の手順を示すフローチャートである。
【図９】図９は、実施形態に係る管理システムの許可処理の手順を示すフローチャートである。
【発明を実施するための形態】
【００１０】
以下で説明する実施形態に係る端末装置１０は、取得部１４１と記憶部１３とを具備する。取得部１４１は、ユーザの画像情報を取得する。また、取得部１４１は、捕獲した動物を撮像した獲物画像を取得する。記憶部１３は、ユーザの画像情報と獲物画像とを対応付けて管理する。
【００１１】
また、以下で説明する実施形態に係る端末装置１０の取得部１４１は、ユーザの顔の特徴を示す顔画像情報を取得する。
【００１２】
また、以下で説明する実施形態に係るサーバ２０は、受信部２３１と管理部２３４とを具備する。受信部２３１は、ユーザの画像情報を取得する。また、受信部２３１は、捕獲した動物を撮像した獲物画像を取得する。また、管理部２３４は、ユーザの画像情報と獲物画像とを対応付けて管理する。
【００１３】
また、以下で説明する実施形態に係る端末装置１０は、ユーザの画像を撮像する撮像部１１をさらに具備する。また、取得部１４１は、撮像部１１によって撮像されたユーザの画像を画像情報として取得する。
【００１４】
また、以下で説明する実施形態に係るサーバ２０は、ユーザの画像の特徴をコードに変換する変換部２３２をさらに具備する。また、受信部２３１は、変換部２３２によって変換されたコードをユーザの画像情報として取得する。
【００１５】
また、以下で説明する実施形態に係るサーバ２０は、第１の画像情報の送信とともに、獲物画像の閲覧又は操作の要求があった場合であって、第１の画像情報と、管理部２３４によって獲物画像に対応付けられているユーザの画像情報とが一致した場合、獲物画像の閲覧又は操作の要求を許可する許可部２３５をさらに具備する。
【００１６】
また、以下で説明する実施形態に係る管理システム１は、端末装置１０とサーバ２０とを具備する。端末装置１０は、ユーザの画像、及び、捕獲した動物の画像である獲物画像を撮像する撮像部１１と、ユーザの画像及び獲物画像を記憶する記憶部１３と、サーバ２０との間で通信が可能になったタイミングで、ユーザの画像及び獲物画像をサーバ２０に送信した後、獲物画像を記憶部１３から削除する送信部１４２とを具備する。また、サーバ２０は、端末装置１０からユーザの画像及び獲物画像を取得する受信部２３１と、ユーザの画像情報と獲物画像とを対応付けて管理する管理部２３４と、を具備する。
【００１７】
以下、図面を参照して、実施形態に係る管理装置及び管理システムを説明する。実施形態において同一の部位には同一の符号を付し、重複する説明は省略される。図１〜図９を用いて、実施形態に係る管理システムについて説明する。また、実施形態において、管理装置は端末装置又はサーバとして実現される。
【００１８】
［管理システムの構成例］
図１は、実施形態に係る管理システムの構成例を示す図である。管理システム１は、ユーザによって撮像された画像を管理するためのシステムである。図１に示すように管理システム１は、端末装置１０及びサーバ２０を有する。また、端末装置１０及びサーバ２０は、ネットワークを介して通信可能に接続されている。また、端末装置１０は、カメラ機能等を用いて、獲物の画像を撮像する。
【００１９】
例えば、端末装置１０は、スマートフォン、タブレット及びデジタルカメラ等の携帯型の端末装置である。サーバ２０は、端末装置１０から取得した情報の管理を行うサーバである。例えば、サーバ２０は、各装置へのアプリケーションの提供、及びアプリケーションで利用される情報の管理を行う。また、端末装置１０は、サーバ２０に画像ファイル１００を送信する。
【００２０】
図１の例では、端末装置１０は、ユーザＵ００１によって使用される。一方で、端末装置１０は、複数のユーザによって共有される。つまり、端末装置１０は、ユーザＵ００１以外のユーザによって使用される場合がある。また、端末装置１０には、メモリーカード等の記憶媒体が、取り外しができないように装着されているものとする。例えば、端末装置１０のカードスロットは、閉じた状態でネジやテープ等で固定される。また、記憶媒体は、端末装置１０の記憶部として機能する。また、記憶媒体のデータの読み取り及び書き換えを、端末装置１０のみから行うことができるようにしてもよい。
【００２１】
また、端末装置１０は、画像ファイル１００とともに、コードを送信する。図１の例では、端末装置１０は、ＱＲ（Quick  Response）コード（登録商標）を送信する。サーバ２０は、画像データ２２２の領域に、あらかじめユーザに対応付けて作成された複数のフォルダを有している。そして、サーバ２０は、コードを基に画像ファイル１００を所定のフォルダに振り分ける。
【００２２】
図１の例では、フォルダＦ００１は、ユーザＵ００１に対応付けられているものとする。このとき、サーバ２０は、画像ファイル１００とともに送信されたコードを読み取り、送信元のユーザがＵ００１であることを特定し、画像ファイル１００をフォルダＦ００１に格納する。なお、サーバ２０による画像ファイルの管理方法は、フォルダ分けする方法に限られない。例えば、サーバ２０は、画像ファイルとユーザを対応付けたテーブルで管理を行ってもよいし、画像ファイルへのタグ付けで管理を行ってもよい。
【００２３】
図２は、実施形態に係る端末装置の構成例を示すブロック図である。図２に示すように、端末装置１０は、撮像部１１、通信部１２、記憶部１３及び制御部１４を有する。
【００２４】
撮像部１１は、画像を撮影する。撮像部１１は、例えばカメラである。撮像部１１が撮影する画像は静止画であってもよいし、動画であってもよい。
【００２５】
通信部１２は、無線通信処理や有線通信処理を行うためのネットワークデバイスである。例えば、通信部１２は、ネットワーク２を介してサーバ２０との間で各種情報を送受信する。
【００２６】
記憶部１３は、例えば、ＲＡＭ（Random  Access  Memory）、フラッシュメモリ（Flash  Memory）等の半導体メモリ素子、又は、ハードディスク、光ディスク等の記憶装置によって実現される。実施形態に係る記憶部１３は、端末装置１０で実行される各処理で利用されるデータを記憶する。記憶部１３は、画像データ１３１を記憶する。
【００２７】
画像データ１３１は、撮像部１１によって撮像されたユーザの顔画像及び捕獲された動物の獲物画像である。また、記憶部１３は、顔画像の代わりに、顔画像を変換したコードを記憶してもよい。顔画像からコードへの変換については後述する。また、顔画像の代わりに、手や指等のユーザの体の他の部位の画像を用いてもよい。
【００２８】
制御部１４は、各種の処理手順等を規定したプログラム及び所要データを格納するための内部メモリを有し、これらによって種々の処理を実行する。制御部１４は、取得部１４１及び送信部１４２を有する。
【００２９】
取得部１４１は、顔画像情報及び獲物画像を取得する。顔画像情報は、ユーザが撮像部１１を使って撮像したユーザ自身の顔の画像であってもよいし、あらかじめユーザの顔画像から変換されたコードであってもよい。また、獲物画像は、撮像部１１によって撮像された画像である。取得部１４１は、取得した顔画像情報及び獲物画像を、画像データ１３１として記憶部１３に格納する。
【００３０】
ここで、取得部１４１は、記憶部１３に利用可能な容量が残っていない場合、記憶部１３に格納された後に一定時間が経過した獲物画像を削除し、新たに取得した獲物画像を格納してもよい。その際、記憶部１３に格納された後に一定時間が経過した獲物画像が存在しない場合、取得部１４１は、新たに取得した獲物画像を破棄してもよい。
【００３１】
送信部１４２は、取得部１４１によって取得された獲物画像の画像ファイル１００を、顔画像情報とともにサーバ２０に送信する。画像ファイル１００は、画像データ１３１そのものであってもよいし、画像データ１３１を所定の形式のファイルに変換したものであってもよい。また、送信部１４２は、通信機能を備えた記憶媒体（参考ＵＲＬ：https://jp.toshiba-memory.com/product/flashair/sduwa/）であってもよい。
【００３２】
また、送信部１４２は、端末装置１０との間で通信が可能になったタイミングで画像ファイル１００を送信してもよい。例えば、送信部１４２は、端末装置１０がＷｉ−Ｆｉ（登録商標）に接続可能な領域に移動したタイミングで送信を行ってもよい。
【００３３】
また、送信部１４２は、画像ファイル１００を送信した後、画像データ１３１を削除することができる。このように、送信部１４２は、獲物画像の送信をなるべく早く行い、送信後に削除することにより、データの改ざんや使い回しを防止することができる。また、送信部１４２は、撮像した獲物画像を共有者に見られ、各ユーザのノウハウが漏えいすることを防止することができる。
【００３４】
図３を用いて、画像ファイル１００について説明する。図３は、実施形態に係る画像ファイルの一例を示す図である。図３に示すように、画像ファイル１００は、画像及びメタデータを含む。また、メタデータは、「日時」及び「場所」といった項目を含む。
【００３５】
図４は、実施形態に係るサーバの構成例を示すブロック図である。図４に示すように、サーバ２０は、通信部２１、記憶部２２及び制御部２３を有する。
【００３６】
通信部２１は、無線通信処理や有線通信処理を行うためのネットワークデバイスである。例えば、通信部２１は、ネットワーク２を介して端末装置１０との間で各種情報を送受信する。
【００３７】
記憶部２２は、例えば、ＲＡＭ、フラッシュメモリ等の半導体メモリ素子、又は、ハードディスク、光ディスク等の記憶装置によって実現される。実施形態に係る記憶部２２は、サーバ２０で実行される各処理で利用されるデータを記憶する。記憶部２２は、ユーザ情報２２１及び画像データ２２２を記憶する。
【００３８】
ユーザ情報２２１は、ユーザと獲物画像とを対応付けるための情報である。例えば、ユーザ情報２２１は、画像データ２２２の各フォルダとユーザとの対応関係である。
【００３９】
画像データ２２２は、端末装置１０から送信された画像ファイル１００から取得した獲物画像を少なくとも含むデータである。画像データ２２２は、図１のようにフォルダ分けがされていてもよい。
【００４０】
制御部２３は、各種の処理手順等を規定したプログラム及び所要データを格納するための内部メモリを有し、これらによって種々の処理を実行する。制御部２３は、受信部２３１、変換部２３２、送信部２３３、管理部２３４及び許可部２３５を有する。
【００４１】
受信部２３１は、端末装置１０によって送信された画像ファイル１００及び顔画像情報を受信する。
【００４２】
変換部２３２は、顔画像をコードに変換する。図５を用いて、顔画像をコードに変換する処理について説明する。図５は、実施形態に係るコードの変換について説明するための図である。
【００４３】
図５に示すように、変換部２３２は、まず、ユーザＵ００１が撮像した顔画像の特徴を抽出する。ここで、例えば、顔画像の特徴は、顔の各パーツの位置を特徴点として表した場合の、各特徴点間の位置関係である。そして、変換部２３２は、抽出した特徴を数値化する。さらに、変換部２３２は、数値化した特徴をＱＲコードやバーコード等に変換する。
【００４４】
ここで、ユーザＵ００１は、変換部２３２によってコード化された顔画像情報が記載されたカード１０ａをあらかじめ所持しておいてもよい。このとき、端末装置１０は、ユーザＵ００１によって提示されたカード１０ａのＱＲコードを読み取り、顔画像情報を取得することができる。例えば、カード１０ａは、身分証、狩猟許可証、所定の地区への入場証等である。
【００４５】
送信部２３３は、ユーザからの要求に応じて画像データ２２２を送信する。送信部２３３は、後述する許可部２３５によって画像データ２２２の送信が許可された場合に画像データ２２２を送信する。
【００４６】
管理部２３４は、顔画像情報と獲物画像とを対応付けて管理する。具体的には、管理部２３４は、ユーザ情報２２１を参照し、送信されてきた画像ファイル１００のフォルダ分けを行う。
【００４７】
また、管理部２３４は、顔画像情報と獲物画像が別々に送信されてきた場合、最初の顔画像情報が送信されてきた時から、次の異なる顔画像情報が送信されてくるまでの間に送信されてきた獲物画像を、当該最初の顔画像情報が示すユーザに対応付けて管理することができる。
【００４８】
また、管理部２３４は、画像ファイル１００のメタデータを参照して獲物画像と顔画像情報の対応関係を判断してもよい。例えば、顔画像情報を取得した日時と獲物画像の撮像日時との差が所定値以上である場合、管理部２３４は、顔画像情報と獲物画像を対応付けないようにしてもよい。また、例えば、顔画像情報を取得した場所と獲物画像が撮像された場所との間の距離が所定値以上である場合、管理部２３４は、顔画像情報と獲物画像を対応付けないようにしてもよい。そのほかにも、管理部２３４は、複数の獲物画像間のファイル名の命名法則が異なる場合には、当該複数の獲物画像を同じユーザのものと判断しないようにしてもよい。
【００４９】
許可部２３５は、ユーザから画像データ２２２の閲覧又は操作の要求があった場合に、条件が満たされていれば当該要求を許可する。なお、ここでの操作とは、画像の削除、フォルダ内のデータの移動、コメントの追加等である。
【００５０】
図６は、実施形態に係る獲物画像の閲覧及び操作の許可について説明するための図である。図６の例では、フォルダＦ００１は、ユーザＵ００１の顔画像から変換されたコードに対応付けられているものとする。
【００５１】
図６に示すように、ユーザＵ００１が自身の顔画像を送信するとともにフォルダＦ００１の画像の閲覧を要求した場合、変換部２３２は、ユーザＵ００１の顔画像をコードに変換する。そして、許可部２３５は、コードがフォルダＦ００１に対応しているため、ユーザＵ００１への画像の送信を許可する。
【００５２】
一方、ユーザＵ００２が自身の顔画像を送信するとともにフォルダＦ００１の画像の閲覧を要求した場合、変換部２３２は、ユーザＵ００２の顔画像をコードに変換する。このとき、許可部２３５は、コードがフォルダＦ００１に対応していないため、ユーザＵ００２への画像の送信を許可しない。
【００５３】
なお、許可部２３５は、あらかじめユーザごとに設定されたＩＤ及びパスワードの提示があった場合は、顔画像情報の有無にかかわらず獲物画像の閲覧又は操作の要求を許可してもよい。
【００５４】
［処理手順］
図７、図８及び図９を用いて、管理システム１の処理の流れについて説明する。図７は、実施形態に係る管理システムの前処理の手順を示すフローチャートである。図８は、実施形態に係る管理システムの格納処理の手順を示すフローチャートである。図９は、実施形態に係る管理システムの許可処理の手順を示すフローチャートである。
【００５５】
図７を用いて、管理システム１の前処理の手順を説明する。ここで、前処理とは、あらかじめ撮像されたユーザの顔画像を用いて、獲物画像の管理に必要な環境をあらかじめ用意するための処理である。
【００５６】
図７に示すように、まず、端末装置１０は、ユーザの顔画像を撮像する（ステップＳ１１）。次に、端末装置１０は、撮像した顔画像をサーバ２０に送信する（ステップＳ１２）。サーバ２０は、顔画像の特徴量をコードに変換し（ステップＳ１３）、変換したコードに対応するフォルダを作成する（ステップＳ１４）。
【００５７】
ここで、ステップＳ１３において変換されたコードは、文字列データ又は画像データとしてユーザに送信されてもよいし、図５に示すようなカード１０ａの作成に使用されてもよい。
【００５８】
図８を用いて、管理システム１の格納処理の手順を説明する。図８に示すように、まず、端末装置１０は、コードを取得する（ステップＳ２１）。端末装置１０は、例えば、カード１０ａを読み取ることによりコードを取得する。次に、端末装置１０は、獲物の画像を撮像する（ステップＳ２２）。そして、端末装置１０は、コード及び獲物の画像をサーバ２０に送信する（ステップＳ２３）。サーバ２０は、コードに対応するフォルダに画像を格納する（ステップＳ２４）。
【００５９】
図９を用いて、管理システム１の許可処理の手順を説明する。図９に示すように、まず、端末装置１０は、顔画像を撮像する（ステップＳ３１）。次に、顔画像をサーバ２０に送信し、画像の閲覧を要求する（ステップＳ３２）。
【００６０】
ここで、サーバ２０は、顔画像の特徴量をコードに変換する（ステップＳ３３）。そして、サーバ２０は、変換したコードに対応するフォルダを特定する（ステップＳ３４）。そして、サーバ２０は、特定したフォルダの画像を端末装置１０に送信する（ステップＳ３５）。
【００６１】
なお、端末装置１０からフォルダを指定した閲覧要求があった場合、サーバ２０は、ステップＳ３４の代わりに、指定されたフォルダとコードに対応するフォルダとが一致するか否かに基づき、画像閲覧の可否を判定する処理を行ってもよい。
【００６２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００６３】
１  管理システム
１０  端末装置
１１  撮像部
１２、２１  通信部
１３、２２  記憶部
１４、２３  制御部
１３１、２２２  画像データ
１４１  取得部
１４２  送信部
２２１  ユーザ情報
２３１  受信部
２３２  変換部
２３３  送信部
２３４  管理部
２３５  許可部
【図１】
2020052679.tif 000003
【図２】
2020052679.tif 000004
【図３】
2020052679.tif 000005
【図４】
2020052679.tif 000006
【図５】
2020052679.tif 000007
【図６】
2020052679.tif 000008
【図７】
2020052679.tif 000009
【図８】
2020052679.tif 000010
【図９】
2020052679.tif 000011